(57)【要約】【課題】写真撮影遊戯機の設置位置に関わらず照明器具を撮影ブース内から交換することができるともに、撮影ブース内の意匠を損なうことのない構造を有する、写真撮影遊戯機を提供する。【解決手段】この写真撮影遊戯機は、照明用開口部２６１ａとは異なる位置に設けられ、照明ユニット２７０を移動させることにより、照明器具２７３の交換を可能とする交換用開口部２６３ｈと、交換用開口部２６３ｈに対して着脱可能に設けられる蓋部材２６４とを備える。【選択図】図１２
2015121831.tif 000002
【特許請求の範囲】
【請求項１】
撮影ブースに設けられた撮影装置を有し、前記撮影装置を用いてプレイヤを撮影し、プレイヤが撮影された写真画像を利用して写真プリントを作成する、写真撮影遊戯機であって、
前記撮影ブースを規定する壁部材に設けられ、照明器具および前記照明器具を保持するユニットベースを含む照明ユニットと、
前記壁部材に設けられた照明用開口部を塞ぐように取付られるとともに、前記照明器具から照射される光を前記撮影ブース内に向けて透過させる照明ドームと、
前記照明用開口部とは異なる位置に設けられ、前記照明ユニットを移動させることにより、前記照明器具の交換を可能とする交換用開口部と、
前記交換用開口部に対して着脱可能に設けられる蓋部材と、
を備える、写真撮影遊戯機。
【請求項２】
前記壁部材は、
前記撮影装置に対向する側に位置する背面壁部材、および、前記背面壁部材の端部において前記背面壁部材と交差する側面壁部材を含み、
前記照明用開口部は、前記側面壁部材に設けられ、
前記交換用開口部は、前記背面壁部材に設けられている、
請求項１に記載の写真撮影遊戯機。
【請求項３】
前記照明ユニットは、
前記照明器具を、前記照明ドームに近づく位置と、前記照明ドームから遠ざかる位置との間を移動させるため、前記ユニットベースは、スライド移動が可能なように前記背面壁部材に設置され、
前記照明器具が前記照明ドームから遠ざかる位置においては、前記交換用開口部から前記照明器具が露出し、前記交換用開口部において前記照明器具の交換が可能である、請求項２に記載の写真撮影遊戯機。
【請求項４】
前記背面壁部材の前記撮影装置側には、前記背面壁部材を覆う背面スクリーンがさらに設けられ、前記交換用開口部は、前記背面スクリーンによって覆われている、請求項２または３に記載の写真撮影遊戯機。
【発明の詳細な説明】
【技術分野】
【０００１】
この発明は、写真撮影遊戯機に関する。
【背景技術】
【０００２】
特開２０１３−２３９９１９号公報（特許文献１）、特開２０１３−１７６０５６号公報（特許文献２）および特開２０１３−１６８９６０号公報（特許文献３）等には、撮影ブース内に設けられた撮影装置を有し、撮影装置を用いてプレイヤを撮影し、プレイヤが撮影された写真画像を利用して写真プリントを作成する、写真撮影遊戯機が開示されている。
【先行技術文献】
【特許文献】
【０００３】
【特許文献１】特開２０１３−２３９９１９号公報
【特許文献２】特開２０１３−１７６０５６号公報
【特許文献３】特開２０１３−１６８９６０号公報
【発明の概要】
【発明が解決しようとする課題】
【０００４】
写真撮影遊戯機の撮影装置においては、撮影のために照明器具が用いられる。照明器具には、寿命があるため、定期的に交換等のメンテナンスが必要となる。照明器具の点検口は、写真撮影遊戯機の外側に設けることが考えられる。しかし、アミューズメントパーク等において、写真撮影遊戯機を設置する場合には、設置スペースの有効利用から、建物の壁に写真撮影遊戯機を近接させて配置することが多く行なわれる。この場合に、点検口が建物の壁に塞がれる場合がある。また、写真撮影遊戯機同士を近接して配置した場合にも、同様に点検口が塞がれる場合がある。
【０００５】
一方、照明器具を交換するために、照明器具から照射される光を撮影ブース内に向けて透過させる照明ドームを取り外し可能に設けることも考えられる。しかし、照明ドームは、利用者の注意を引き易い。そのため、意匠が重視される撮影ブースにおいては、照明ドームの周りに交換用のビス等を設けることは、できるだけ避ける必要がある。
【０００６】
したがって、本発明は、上記課題に鑑みてなされたものであり、写真撮影遊戯機の設置位置に関わらず照明器具を撮影ブース内から交換することができるともに、撮影ブース内の意匠を損なうことのない構造を有する、写真撮影遊戯機を提供することにある。
【課題を解決するための手段】
【０００７】
この写真撮影遊戯機においては、撮影ブースに設けられた撮影装置を有し、上記撮影装置を用いてプレイヤを撮影し、プレイヤが撮影された写真画像を利用して写真プリントを作成する、写真撮影遊戯機であって、以下の構成を備える。
【０００８】
上記撮影ブースを規定する壁部材に設けられ、照明器具および上記照明器具を保持するユニットベースを含む照明ユニットと、上記壁部材に設けられた照明用開口部を塞ぐように取付られるとともに、上記照明器具から照射される光を上記撮影ブース内に向けて透過させる照明ドームと、上記照明用開口部とは異なる位置に設けられ、上記照明ユニットを移動させることにより、上記照明器具の交換を可能とする交換用開口部と、上記交換用開口部に対して着脱可能に設けられる蓋部材とを備える。
【０００９】
他の形態では、上記壁部材は、上記撮影装置に対向する側に位置する背面壁部材、および、上記背面壁部材の端部において上記背面壁部材と交差する側面壁部材を含み、上記照明用開口部は、上記側面壁部材に設けられ、上記交換用開口部は、上記背面壁部材に設けられている。
【００１０】
他の形態では、上記照明ユニットは、上記照明器具が、上記照明ドームに近づく位置と、上記照明ドームから遠ざかる位置との間を移動させるため、上記ユニットベースは、スライド移動が可能なように上記背面壁部材に設置され、上記照明器具が上記照明ドームから遠ざかる位置においては、上記交換用開口部から上記照明器具が露出し、上記交換用開口部において上記照明器具の交換が可能である。
【００１１】
他の形態では、上記背面壁部材の上記撮影装置側には、上記背面壁部材を覆う背面スクリーンがさらに設けられ、上記交換用開口部は、上記背面スクリーンによって覆われている。
【発明の効果】
【００１２】
この発明によれば、写真撮影遊戯機の照明器具を撮影ブース内から交換することができるともに、撮影ブース内の意匠を損なうことのない構造を有する、写真撮影遊戯機を提供することを可能とする。
【図面の簡単な説明】
【００１３】
【図１】実施の形態１の写真撮影遊戯機を撮影ブース側から見た斜視図である。
【図２】実施の形態１の事前接客ブースおよび撮影ブース内の正面筐体の斜視図である。
【図３】実施の形態１の撮影ブース内の背面筐体の見上げ図である。
【図４】実施の形態１の編集ブース内の編集装置の斜視図である。
【図５】実施の形態１の写真撮影遊戯機の機能ブロック図である。
【図６】実施の形態１の写真撮影遊戯機の写真プリントの作成方法の全体フローを示す図である。
【図７】実施の形態１の写真撮影遊戯機で生成される合成画像が印刷された写真プリントの一例を示す図である。
【図８】実施の形態１の撮影ブース内に設けられる側部照明装置および交換用開口部の構造を示す部分縦断面図である。
【図９】実施の形態１の交換用開口部が蓋部材により閉ざされた状態を示す図である。
【図１０】実施の形態１の撮影ブース内に設けられる側部照明装置および交換用開口部の構造を示す横断面図である。
【図１１】実施の形態１の交換用開口部から蓋部材が取り外され、照明ユニットが引き出される状態を示す第１図である。
【図１２】実施の形態１の交換用開口部から蓋部材が取り外され、照明ユニットが引き出される状態を示す第２図である。
【図１３】実施の形態２の側部照明装置の内部構造を示す横断面図である。
【図１４】実施の形態２の側部照明装置の照明ユニットの取り換え状態を示す横断面図である。
【図１５】実施の形態３の側部照明装置の内部構造を示す横断面図である。
【図１６】実施の形態３の側部照明装置の照明ユニットの取り換え状態を示す横断面図である。
【図１７】実施の形態４の側部照明装置の内部構造を示す縦断面図である。
【図１８】実施の形態４の側部照明装置の照明ユニットの取り換え状態を示す縦断面図である。
【図１９】実施の形態５の天井照明装置の内部構造を示す縦断面図である。
【図２０】実施の形態５の天井照明装置の照明ユニットの取り換え状態を示す縦断面図である。
【図２１】実施の形態６の天井照明装置の内部構造を示す縦断面図である。
【図２２】実施の形態６の天井照明装置の照明ユニットの取り換え状態を示す縦断面図である。
【発明を実施するための形態】
【００１４】
本発明に基づいた各実施の形態における写真撮影遊戯機について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１５】
［実施の形態１］
（写真撮影遊戯機１の全体構成）
図１を参照して、本実施の形態における写真撮影遊戯機１の全体構成について説明する。図１は、写真撮影遊戯機１を撮影ブース２側から見た斜視図である。写真撮影遊戯機１は、撮影ブース２、編集ブース３、事前接客ブース４、および事後接客ブース５（詳細は、図４参照）を備える。
【００１６】
撮影ブース２では、プレイヤを被写体とする写真画像が生成される。編集ブース３では、生成された写真画像が編集される。事前接客ブース４では、写真画像を生成するための設定条件を、写真画像を撮影および生成する前に受け付ける。
【００１７】
（事前接客ブース４の構成）
図２を参照して、事前接客ブース４の構成について説明する。図２は、図１に示される写真撮影遊戯機１のうち、事前接客ブース４および撮影ブース２内の正面筐体２０Ａの斜視図である。
【００１８】
事前接客ブース４には、事前受付装置４０が配置される。事前受付装置４０は、写真撮影遊戯機１の側面（正面筐体２０Ａの側面）に配置される。事前受付装置４０は、受付用ディスプレイ４１と、コイン投入口４２と、スピーカ４３とを備える。受付用ディスプレイ４１の表面には図示しないタッチパネルが貼り付けられている。事前受付装置４０は、受付用ディスプレイ４１のタッチパネルを介して、プレイヤの選択操作を受け付ける。事前受付装置４０は、図２に示す配置位置と反対側にも配置してもよい。
【００１９】
プレイヤは、撮影ブース２で撮影する前に、コイン投入口４２（コイン制御部４４）にコインを投入する。コインの投入によりプレイが開始され、プレイヤは、受付用ディスプレイ４１に表示される選択画面に従って、写真画像を生成するための設定条件を選択する。この操作により、生成される写真画像および合成画像の条件が決定される。このように、事前接客ブース４では、プレイヤの選択により、合成画像の生成条件が決定される。
【００２０】
（撮影ブース２の構成）
撮影ブース２は、図２に示す正面筐体２０Ａと、図３に示す背面筐体２０Ｂとを含む。正面筐体２０Ａと背面筐体２０Ｂとは、互いに対向して配置されている。正面筐体２０Ａと背面筐体２０Ｂとは、フレーム材等で連結される。撮影ブース２では、正面筐体２０Ａおよび背面筐体２０Ｂにより、内部に空間が形成され、正面筐体２０Ａの側面と背面筐体２０Ｂの側面との間に形成される間隔が、撮影ブース２内への出入口２Ａ（図１参照）となる。出入口には、図示しないカーテン等が配置される。以降、撮影ブース２において、正面筐体２０Ａ側を「正面側」、背面筐体２０Ｂ側を「背面側」と称する。
【００２１】
撮影ブース２は、撮影装置２０を備える。撮影装置２０は、正面筐体２０Ａの正面側に配置される。図２に示すように、撮影装置２０は、撮影カメラ２００、ディスプレイ２２０、および照明装置２３１〜２３８を含む。撮影カメラ２００は、撮影ブース２の背面側を向くように配置され、プレイヤを正面から撮影して写真画像を生成する。
【００２２】
ディスプレイ２２０は、撮影カメラ２００でプレイヤを撮影するときに、プレイヤが自分の撮影ポーズを確認するためのモニタである。具体的には、ディスプレイ２２０は、撮影カメラ２００と同様に、撮影ブース２の背面側を向くように配置される。ディスプレイ２２０は、撮影カメラ２００で撮影されたプレイヤの映像を左右反転してライブ映像（動画）としてリアルタイムに表示する。
【００２３】
プレイヤは撮影カメラ２００での撮影時に、ディスプレイ２２０に鏡のように映る自分の姿を見ながら撮影することができる。ディスプレイ２２０にはタッチパネルが貼り付けられており、タッチパネルを介してプレイヤの入力操作を受け付ける。本実施の形態では、撮影カメラ２００は縦長長方形状の撮像面を有する。つまり、撮影カメラ２００の撮影範囲は縦長であり、より具体的には、縦長の長方形である。
【００２４】
上述した撮影カメラ２００は、一眼レフレックスデジタルカメラ（いわゆる、デジタル一眼レフカメラ）である。撮影カメラ２００は、図示しない公知のオートフォーカス（ＡＦ）モジュールを備える。ＡＦモジュールは、たとえば公知の位相差検出法を用い、図示しない撮影レンズの位置を調整して焦点を合わせる。撮影カメラ２００は、プレイヤを撮影した際に、写真画像の撮影日時、焦点距離等を含むメタデータ（以下、撮影情報と称する）と、ＪＰＥＧ等の写真画像の画像データとを含むＥｘｉｆ（Exchangeable  image  file  format）形式の写真画像データを生成する。
【００２５】
照明装置２３１〜２３８は、いずれも撮影ブースの背面側に向いて配置される。これらの照明装置２３１〜２３８は、非撮影時も発光しているが、撮影カメラ２００がプレイヤを撮影する瞬間（つまり、ライブ映像を静止画として取り込む瞬間）には、内部に設けられたフラッシュライトが発光し、プレイヤを強く照明する。
【００２６】
照明装置２３１〜２３４は、撮影カメラ２００の近傍の周りに配置され、撮影カメラ２００の周りに暗部が形成されるのを抑制する。さらに、プレイヤの鼻筋にハイライトを付ける効果を有する。ドーム型の照明装置２３１，２３２は、撮影カメラ２００を取り囲むように配置される。このような配置により、撮影されたプレイヤが立体的に見えやすくなる。さらに、このドーム型の照明装置２３１，２３２が、プレイヤの瞳の中に写り込む、いわゆるアイキャッチ効果を生み出す。照明装置２３５〜２３８は、プレイヤの下半身を照らし、下半身に暗部が形成されるのを抑制する。
【００２７】
図３を参照して、背面筐体２０Ｂにも天井照明装置２５１〜２５４、左右に一対配置される側部照明装置２６０，２６０が配置される。これらの照明装置も、上記照明装置２３１〜２３８と同様に、通常非撮影時も発光しているが、撮影カメラ２００がプレイヤを撮影する瞬間（つまり、ライブ映像を静止画として取り込む瞬間）には、内部に設けられたフラッシュライトが発光し、プレイヤを強く照明する。なお、内部にフラッシュライトを有しない照明装置、内部にフラッシュライトのみが設けられる照明装置も適宜用いられる。
【００２８】
背面筐体２０Ｂの背面には、背面壁部材を構成する背面パネル２６３（図８参照）が配置される。通常、背面パネル２６３の正面側には、クロマキ一合成用の背面スクリーン２５０が設けられる。なお、背面パネル２６３自体が、クロマキ一合成用のパネルであってもよい。
【００２９】
背面スクリーン２５０の側面側には、背面パネル２６３の端部において背面パネル２６３と交差する側面壁部材を構成する側面パネル２６１が設けられている。側面パネル２６１および背面パネル２６３は、撮影ブース２を規定する壁部材を構成する。
【００３０】
本実施の形態では、この側面パネル２６１に、側部照明装置２６０，２６０が配置されている。なお、背面パネル２６３には、後述する側部照明装置２６０，２６０に用いられる照明ユニットの照明器具の交換を可能とする交換用開口部２６３ｈが設けられているが、本実施の形態では、交換用開口部２６３ｈは、背面スクリーン２５０により覆われ、プレイヤから視認できないようになっている。
【００３１】
撮影ブース２の床面には、クロマキ一合成用の床マット、または、床板等の床部材（図示省略）が設けられている。床部材は、たとえば黄緑色であり、背面筐体２０Ｂの背面スクリーン２５０と同じ色である。撮影カメラ２００は、床部材および背面スクリーン２５０を背景とする撮影を行なう。写真撮影遊戯機１は、クロマキー技術を用いることによりプレイヤ（被写体）以外の背景を容易に特定できる。
【００３２】
（編集ブース３の構成）
編集ブース３では、撮影ブース２で生成されたプレイヤ（プレイヤ）の写真画像に落書き画像等の編集画像を配置する編集処理が実施される。写真画像および編集画像を合成することにより後述の合成画像が生成される。編集ブース３には、編集装置３５が配置される（図１を参照）。
【００３３】
図４を参照して、編集装置３５の詳細を説明する。図４は、編集装置３５の斜視図である。編集装置３５は、２つの画像編集装置３５０を有し、２つの画像編集装置３５０は、互いに背中合わせになるように、筐体３６０の正面および背面に配置される。
【００３４】
各画像編集装置３５０は、編集用ディスプレイ３５１と、２つのタッチペン３５２と、スピーカ３５３とを備える。編集用ディスプレイ３５１は、画像編集装置３５０の中央に設けられ、撮影処理で生成された複数の写真画像を表示する。さらに、編集用ディスプレイ３５１の表示画面上には透明なタッチパネルが貼り付けられている。
【００３５】
画像編集装置３５０は、タッチパネルを介してプレイヤの編集操作を受け付ける。２つのタッチペン３５２は、編集用ディスプレイ３５１の両側に設けられる。タッチペン３５２は、ペン画像やスタンプ画像といった編集画像（落書き画像）を編集用ディスプレイ３５１で写真画像内に配置するために用いられる。つまり、プレイヤはタッチペン３５２を用いて、写真画像を編集する。本実施の形態では、タッチペン３５２が画像の編集に用いられるが、プレイヤは、タッチペン３５２の代わりに、指で編集用ディスプレイ３５１のタッチパネルに直接触れてもよい。
【００３６】
スピーカ３５３は、編集プレイのための操作方法などの案内やＢＧＭなどを出力する。編集終了後、写真撮影遊戯機１は写真画像と編集画像とを合成して合成画像を生成する。
【００３７】
（事後接客ブース５の構成）
図４を参照して、事後接客ブース５の構成について説明する。事後接客ブース５には、事後受付装置５０が配置される。事後受付装置５０は、編集装置３５の側面に配置される。事後受付装置５０は、受付用ディスプレイ５１と、写真プリント排出装置５２と、スピーカ５３と、プリント排出口５４とを備える。
【００３８】
受付用ディスプレイ５１の表面には図示しないタッチパネルが貼り付けられている。事後受付装置５０は、受付用ディスプレイ５１のタッチパネルを介して、プレイヤの選択操作を受け付ける。
【００３９】
写真プリント排出装置５２は、受付用ディスプレイ５１の下方配置される。写真プリント排出装置５２は、プリンタ６５０（図５参照）を収納する。プリンタ６５０は、合成画像を印刷用紙である写真プリント用紙に印刷する。写真プリント排出装置５２は、プリンタ６５０により印刷された写真プリントをプリント排出口５４に排出する。プレイヤは、写真プリントがプリント排出口５４から排出されるまでの待ち時間を利用して、受付用ディスプレイ５１から、メールアドレス等を入力する。
【００４０】
（写真撮影遊戯機１の機能構成）
図５は、写真撮影遊戯機１の機能ブロック図である。図５を参照して、写真撮影遊戯機１は、写真撮影遊戯機１全体を制御するコンピュータ装置１０１と、動作中のコンピュータ装置１０１からの指示を受け付けて、接続されている各種装置を制御する制御基板１０２と、クロマキーキャプチャボード１７とを備える。これらは写真撮影遊戯機１の制御装置１００として機能する。制御装置１００は撮影装置２０に搭載されていてもよいし、編集装置３５に搭載されていてもよい。
【００４１】
コンピュータ装置１０１は、ＣＰＵ１０３と、ＨＤＤ１０４と、メモリ１０５と、通信部１０６とを備える。ＣＰＵ１０３は、ＨＤＤ１０４に記憶されたプログラムを実行して、コンピュータ装置１０１を制御する。ＨＤＤ１０４は、本装置に所定の処理を実行させるための制御プログラム、処理に必要なグラフィックデー夕、音声デー夕、生成された写真画像、予め用意された複数の背景画像、予め用意された複数のフレーム画像や複数のスタンプ画像等の各種画像データを記憶する。
【００４２】
制御プログラムは、コンピュータ装置１０１にインストールされることにより、ＨＤＤ１０４に格納される。メモリ１０５は、コンピュータ装置１０１のメインメモリであり、ＣＰＵ１０３により実行される制御プログラムの一時的な作業領域として用いられる。通信部１０６は、インターネット等のネットワークを介して図示しないサーバと通信する。
【００４３】
（事前接客処理時に動作する機能）
コンピュータ装置１０１は、事前接客ブース４での事前接客処理を実行する。事前接客処理は、後述する起動処理および受付処理を含む。具体的には、コンピュータ装置１０１は制御プログラムを実行し、デモ映像、名前入力画面などを受付用の受付用ディスプレイ４１に表示する。コンピュータ装置１０１は、制御基板１０２を介して、受付用ディスプレイ４１およびスピーカ４３と接続される。受付用ディスプレイ４１のタッチパネルは、プレイヤの指の接触を検出し、それに応じた指示信号をコンピュータ装置１０１に送信する。スピーカ４３は、コンピュータ装置１０１から与えられる指示信号に基づいて、案内音声やＢＧＭなどを出力する。
【００４４】
（写真画像生成処理時に動作する機能）
コンピュータ装置１０１は、撮影ブース２での写真画像生成処理を実行する。具体的には、コンピュータ装置１０１は制御プログラムを実行し、必要に応じてディスプレイ２２０を介して入力されたプレイヤの操作に応じて、制御信号を制御基板１０２に送信する。コンピュータ装置１０１は、撮影カメラ２００、ディスプレイ２２０、スピーカ４５０、調整装置３００および制御基板１０２と接続され、それらを制御する。スピーカ４５０は、コンピュータ装置１０１から与えられる指示信号に基づいて、撮影プレイのための操作方法などの案内やＢＧＭなどを出力する。
【００４５】
クロマキーキャプチャボード１７は、撮影カメラ２００で撮影されている映像（プレイヤ映像）を所定の時間間隔（たとえば３０フレーム／秒）でデジタルデータ（静止画像）として取り込む。クロマキーキャプチャボード１７は、取り込んだ静止画像の中からクロマキー技術によりプレイヤ以外の領域を検出し、その検出した領域に選択された所望の背景画像を合成する。コンピュータ装置１０１はさらに、プレイヤ映像の顔部分に画像処理を施し、必要に応じてプレイヤ映像をトリミングする。
【００４６】
（画像編集処理時に動作する機能）
コンピュータ装置１０１はさらに、編集ブース３での画像編集処理を実行する。具体的には、コンピュータ装置１０１は制御プログラムを実行し、編集用の編集用ディスプレイ３５１に対する入力操作に応じて、制御信号を制御基板１０２に送信する。コンピュータ装置１０１は、プリンタ６５０および編集用ディスプレイ３５１と接続され、それらを制御する。
【００４７】
編集用ディスプレイ３５１のタッチパネルは、タッチペン３５２等の接触を検出し、それに応じた指示信号をコンピュータ装置１０１に送信する。編集用ディスプレイ３５１は、コンピュータ装置１０１から送信された編集画像（落書き画像）を写真画像上に重ねて表示する。スピーカ３５３は、コンピュータ装置１０１から与えられる指示信号に基づいて、編集プレイのための操作方法などの案内やＢＧＭなどを出力する。
【００４８】
（サーバとの通信時に動作する機能）
コンピュータ装置１０１はさらに、通信部１０６により、インターネット等のネットワークを介して図示しないサーバＳＶと通信する。写真撮影遊戯機１で生成された画像をプレイヤの携帯端末にサーバ経由で提供可能にする。これにより、プレイヤはプレイヤ端末に写真画像や合成画像を取得できる。
【００４９】
コンピュータ装置１０１は、プレイヤの要求に応じて生成された写真画像および合成画像を取得するのに必要なアクセス情報（たとえばＵＲＬ）を非接触通信装置９７を介してユーザの携帯端末に送信してもよい。
【００５０】
（印刷処理時に動作する機能）
コンピュータ装置１０１は、プリンタ６５０に対して印刷指示を送信し、印刷すべき合成画像を送信する。プリンタ６５０は、印刷すべき合成画像の受信を完了したとき、印刷指示に応じて印刷を開始する。
【００５１】
（事後接客処理時に動作する機能）
コンピュータ装置１０１は、事後接客ブース５での事後接客処理を実行する。コンピュータ装置１０１は制御プログラムを実行し、デモ映像、メールアドレス入力画面などを受付用の受付用ディスプレイ５１に表示する。コンピュータ装置１０１は、制御基板１０２を介して、受付用ディスプレイ５１およびスピーカ５３と接続される。受付用ディスプレイ５１のタッチパネルは、プレイヤの指の接触を検出し、それに応じた指示信号をコンピュータ装置１０１に送信する。スピーカ５３は、コンピュータ装置１０１から与えられる指示信号に基づいて、案内音声やＢＧＭなどを出力する。
【００５２】
（その他の機能）
制御基板１０２はさらに、コンピュータ装置１０１の他に、発光（ストロボ）制御部１１０、ストロボ２７３、照明装置２３１〜２３８，２５１〜２５４，２６０，２６０（２６０Ａ〜２６０Ｅ）、サービスパネル１１３、およびコイン制御部４４に接続される。
【００５３】
（写真プリントの作成フロー）
図６を参照して、本実施の形態における写真撮影遊戯機１を用いた写真プリントの作成フローを説明する。図６は、本実施の形態における写真撮影遊戯機１における作成方法の全体フローを示す図である。
【００５４】
写真撮影遊戯機１は、プレイの開始時に事前接客ブース４において事前接客処理として受付処理を行なう。受付処理では、写真画像の生成条件処理、背景選択処理が行なわれる（ステップＳ１０）。写真撮影遊戯機１、撮影ブース２において、プレイヤを被写体として撮影する（ステップＳ２０）。
【００５５】
写真撮影遊戯機１は、写真撮影後、編集ブース３において、らくがき処理（ステップＳ３０）の受付処理を行なった後、撮影ブース２においてプレイヤを撮影した「写真画像」、および編集ブース３でプレイヤが行なったらくがき処理で入力した「編集画像」を合成し、「合成画像」を生成する写真画像合成処理を行なう（ステップＳ４０）。
【００５６】
生成した合成画像を所定のレイアウトに配置した複数のレイアウトをプレイヤに提示してレイアウトの選択を受け付け（ステップＳ５０）、選択を受け付けたレイアウトにしたがって合成画像を配置して、「シートデザイン画像」に「合成画像」が組み込まれた印刷画像を生成する印刷画像処理を行なう（ステップＳ６０）。なお、「写真画像」に対して、編集ブース３でプレイヤによりらくがき処理が行なわれていない場合も、「合成画像」に含まれるものとする。
【００５７】
写真撮影遊戯機１は、プリンタを用いて、写真プリント用紙に印刷画像を印刷し、その写真プリントを、事後接客ブース５のプリント排出口５４から排出する（ステップＳ７０）。さらに、写真撮影遊戯機１は、サーバを介して合成画像をプレイヤの所有する端末に送信する。プレイヤは、写真プリントがプリント排出口５４から排出されるまでの待ち時間を利用して、受付用ディスプレイ５１から、メールアドレス等を入力する。これにより、プレイヤはプレイヤ端末に写真画像や合成画像の取得が可能となる。
【００５８】
（写真撮影遊戯機１で生成される合成画像）
図７に、写真撮影遊戯機１で生成される合成画像が印刷された写真プリントの一例を示す。図７に示す合成画像ＦＲ１は、撮影処理によって生成されるプレイヤの写真画像ＦＲ１１Ａ（上半身撮影）およびＦＲ１１Ｂ（全身撮影）と、画像編集処理によって生成される編集画像ＦＲ１３とを含む。写真画像ＦＲ１１Ａ，Ｂは、写真画像のみ、または写真画像と背景画像と編集画像とを含む。編集画像ＦＲ１３は、文字列やフレーム、落書き画像等である。
【００５９】
（側部照明装置２６０の構成）
図８から図１２を参照して、本実施の形態における側部照明装置２６０の構成について説明する。図８は、撮影ブース２内に設けられる側部照明装置２６０および交換用開口部２６３ｈの構造を示す部分縦断面図、図９は、交換用開口部２６３ｈが蓋部材２６４により閉ざされた状態を示す図、図１０は、撮影ブース２内に設けられる側部照明装置２６０および交換用開口部２６３ｈの構造を示す横断面図、図１１および図１２は、交換用開口部２６３ｈから蓋部材２６４が取り外され、照明ユニット２７０が引き出される状態を示す第１図および第２図である。
【００６０】
本実施の形態では、ストロボ２７３の交換について言及しているが、ストロボ２７３に限定されず、交換が必要となる照明器具（電球、蛍光灯等）を使用する場合も同様である。以下に説明する各実施の形態においても同様である。
【００６１】
以下の説明においては、背面スクリーン２５０を取り外した状態を図示し、また、正面筐体２０Ａ側から見て左右対称の構造であることから、左側の構造についてのみ説明し、右側の構造の説明については、省略する。
【００６２】
図８および図９に示すように、側部照明装置２６０は、右側に位置する側面パネル２６１に設けられている。さらに、背面パネル２６３には、後述の側部照明装置２６０の照明ユニット２７０の照明器具であるストロボ２７３の交換を可能とする交換用開口部２６３ｈが設けられている。
【００６３】
図９に示すように、この交換用開口部２６３ｈは、通常状態では、蓋部材２６４に覆われている。蓋部材２６４は、蓋部材２６４に設けられたビス用孔（だるま孔）２６４ａおよびビスＢ１を用いて交換用開口部２６３ｈを覆うように背面パネル２６３に固定されている。ストロボ２７３を交換する際には、蓋部材２６４は交換用開口部２６３ｈから取り外される。
【００６４】
側面パネル２６１には、照明用開口部２６１ａが設けられる。さらに、側面パネル２６１には、この照明用開口部２６１ａを塞ぐように取付られるとともに、後述の照明ユニット２７０から照射される光を撮影ブース２内に向けて透過させる照明ドーム２６２が設けられている。この照明ドーム２６２には、半乳白色のアクリル樹脂が用いられている。なお、照明ドーム２６２の材質はこれに限定されるものではない。
【００６５】
図１０に示すように、側面パネル２６１および背面パネル２６３の内部には、照明ユニット２７０が、図中の矢印Ｓ方向に往復スライド可能なように収納されている。照明ユニット２７０が、最も側面パネル２６１側に移動させられた状態においては、側面パネル２６１の内部に、後述のストロボ２７３に対向する位置に反射板２７９が設けられている。
【００６６】
この反射板２７９は、ストロボ２７３の強い光が照明ドーム２６２から直接出射されるのを回避し、ストロボ２７３の強い光を、側面パネル２６１および背面パネル２６３の内部を乱反射させた後に、照明ドーム２６２から出射させるようにしている。なお、反射板２７９は、必須ではなく任意の構成要素である。
【００６７】
図１１および図１２を参照して、照明ユニット２７０は、照明器具であるストロボ２７３、このストロボ２７３を載置する照明ベース２７２と、照明ベース２７２を固定するユニットベース２７１とを含む。ストロボ２７３には、電源ケーブル２７４が接続されている。
【００６８】
照明ユニット２７０は、ストロボ２７３を、照明ドーム２６２に近づく位置（図１０に示す位置）と、照明ドーム２６２から遠ざかる位置（図１２に示す位置）との間を移動させるため、ユニットベース２７１は、スライド移動（図中Ｓ方向）が可能なように背面パネル２６３に設置されている。具体的には、背面パネル２６３には、ユニットベース２７１を上下方向から挟み込む一対のガイドレール２６５，２６５が設けられている。
【００６９】
図１２に示す状態は、ユニットベース２７１が、最も引き出された状態（ストロボ２７３が照明ドーム２６２から遠ざかる位置）であり、この状態では、交換用開口部２６３ｈからストロボ２７３が露出し、交換用開口部２６３ｈにおいてストロボ２７３の交換が可能である。
【００７０】
このように、本実施の形態においては、側面パネル２６１に照明用開口部２６１ａが設けられ、この照明用開口部２６１ａとは異なる位置に照明ユニット２７０を移動させることにより、ストロボ２７３の交換を可能とする交換用開口部２６３ｈが背面パネル２６３に設けられている。これにより、撮影ブース２側からのストロボ２７３の交換が可能となる。
【００７１】
さらに、照明ドーム２６２を取り外すことなく、ストロボ２７３の交換が可能であることから、側面パネル２６１に設けられた照明用開口部２６１ａに照明ドーム２６２を撮影ブース２側から着脱するための構造を設ける必要がなくなり、照明ドーム２６２の周りにビス等を配置する必要がない。その結果、撮影ブース２内の意匠を損なうこともない。
【００７２】
さらに、背面パネル２６３側に設けられた交換用開口部２６３ｈは、蓋部材２６４により覆われることから、内部の構造が目立つようなことはない。好ましくは、背面パネル２６３、蓋部材２６４、およびビスＢ１を同一の色に着色しておくことで、交換用開口部２６３ｈをより目立たなくさせることができる。
【００７３】
また、蓋部材２６４は、遮光性を有する部材であることが好ましい。これによれば、ストロボ２７３等の照明器具から照射される光が、交換用開口部２６３ｈから漏れ出ることを防げ、撮影時の照射バランスが乱れることがない。
【００７４】
なお、本実施の形態では、背面パネル２６３は、背面スクリーン２５０により覆われていることから、交換用開口部２６３ｈがプレイヤの目に触れることはない。
【００７５】
さらに、照明ユニット２７０を、照明ドーム２６２内に設けず、背面パネル２６３に対してスライド移動可能なように設けることで、照明ドーム２６２の厚さを増加させる必要がなく、照明ドーム２６２の薄型化を実現させることができる。
【００７６】
［実施の形態２］
次に、図１３および図１４を参照して、実施の形態２における写真撮影遊戯機について説明する。本実施の形態においては、基本的構成は、上記実施の形態１における写真撮影遊戯機と同じであり、相違点は、側部照明装置の構成にある。よって、ここでは、本実施の形態における側部照明装置２６０Ａの構成についてのみ説明する。図１３は、側部照明装置２６０Ａの内部構造を示す横断面図、図１４は、側部照明装置２６０Ａの照明ユニットの取り換え状態を示す横断面図である。
【００７７】
図１３を参照して、本実施の形態における側部照明装置２６０Ａは、背面パネル２６３と側面パネル２６１と交差する領域に照明用開口部２６１ａが設けられている。照明用開口部２６１ａには、照明ドーム２６２が設けられている。本実施の形態における照明ユニット２７０Ａは、ストロボ２７３と、横断面がＺ字型のユニットベース２７５とを含む。図示していないが、実施の形態１と同様に、ストロボ２７３には、電源ケーブルが接続されている。ユニットベース２７５は、背面パネル２６３に設けられた固定ベース２７６にビスＢ２等を用いて着脱可能に固定されている。
【００７８】
背面パネル２６３には、実施の形態１の場合と同様に、交換用開口部２６３ｈを覆うように、蓋部材２６４がビスＢ１を用いて着脱可能に固定されている。図示していないが、ストロボ２７３の発光面側に、実施の形態１の場合と同様に、反射板を設けてもよい。
【００７９】
図１４に示すように、実施の形態１の場合では、照明ユニット２７０にスライド機構を設けたが、本実施の形態では、交換用開口部２６３ｈにおいて、照明ユニット２７０Ａの出し入れを可能としている。
【００８０】
本実施の形態においては、背面パネル２６３と側面パネル２６１と交差する領域に照明用開口部２６１ａが設けられ、この照明用開口部２６１ａとは異なる位置に設けられ、照明ユニット２７０Ａを移動させることにより（図１４に示す状態）、ストロボ２７３の交換を可能とする交換用開口部２６３ｈが背面パネル２６３に設けられている。これにより、撮影ブース２側からのストロボ２７３の交換が可能となる。
【００８１】
さらに、照明ドーム２６２を取り外すことなく、ストロボ２７３の交換が可能であることから、側面パネル２６１の照明用開口部２６１ａに照明ドーム２６２を撮影ブース２側から着脱するための構造を設ける必要がなくなり、照明ドーム２６２の周りにビス等を配置する必要がない。その結果、撮影ブース２内の意匠を損なうこともない。
【００８２】
さらに、背面パネル２６３側に設けられた交換用開口部２６３ｈは、蓋部材２６４により覆われることから、内部の構造が目立つようなことはない。好ましくは、背面パネル２６３、蓋部材２６４、およびビスＢ１を同一の色に着色しておくことで、交換用開口部２６３ｈをより目立たなくさせることができる。
【００８３】
なお、本実施の形態では、背面パネル２６３は、背面スクリーン２５０により覆われていることから、交換用開口部２６３ｈがプレイヤの目に触れることはない。
【００８４】
［実施の形態３］
次に、図１５および図１６を参照して、実施の形態３における写真撮影遊戯機について説明する。本実施の形態においては、基本的構成は、上記実施の形態１における写真撮影遊戯機と同じであり、相違点は、側部照明装置の構成にある。よって、ここでは、本実施の形態における側部照明装置２６０Ｂの構成についてのみ説明する。図１５は、側部照明装置２６０Ｂの内部構造を示す横断面図、図１６は、側部照明装置２６０Ｂの照明ユニットの取り換え状態を示す横断面図である。
【００８５】
図１５を参照して、本実施の形態における側部照明装置２６０Ｂは、側面パネル２６１に照明用開口部２６１ａが設けられている。照明用開口部２６１ａには、照明ドーム２６２が設けられている。本実施の形態における照明ユニット２７０Ｂは、ストロボ２７３と、プレート状のユニットベース２７７とを含む。図示していないが、実施の形態１と同様に、ストロボ２７３には、電源ケーブルが接続されている。ユニットベース２７７は、側面パネル２６１の端部（出入口側）に設けられた固定ベース２７８にビスＢ２等を用いて着脱可能に固定されている。
【００８６】
側面パネル２６１の端部（出入口２Ａ側：図１参照）には、実施の形態１の場合と同様の構成を有する、交換用開口部２６３ｈと、この交換用開口部２６３ｈを覆うように、蓋部材２６４がビスＢ１を用いて着脱可能に固定されている。図示していないが、ストロボ２７３の発光面側に、実施の形態１の場合と同様に、反射板を設けてもよい。
【００８７】
図１６に示すように、実施の形態１の場合では、照明ユニット２７０にスライド機構を設けたが、本実施の形態では、交換用開口部２６３ｈにおいて、照明ユニット２７０Ｂの出し入れを可能としている。
【００８８】
本実施の形態においては、側面パネル２６１に照明用開口部２６１ａが設けられ、この照明用開口部２６１ａとは異なる位置に設けられ、照明ユニット２７０Ｂを移動させることにより（図１６に示す状態）、ストロボ２７３の交換を可能とする交換用開口部２６３ｈが、側面パネル２６１の端部（出入口２Ａ側：図１参照）に設けられている。これにより、撮影ブース２側からのストロボ２７３の交換が可能となる。
【００８９】
さらに、照明ドーム２６２を取り外すことなく、ストロボ２７３の交換が可能であることから、側面パネル２６１の照明用開口部２６１ａに照明ドーム２６２を撮影ブース２側から着脱するための構造を設ける必要がなくなり、照明ドーム２６２の周りにビス等を配置する必要がない。その結果、撮影ブース２内の意匠を損なうこともない。
【００９０】
さらに、背面パネル２６３側に設けられた交換用開口部２６３ｈは、蓋部材２６４により覆われることから、内部の構造が目立つようなことはない。好ましくは、背面パネル２６３、蓋部材２６４、およびビスＢ１を同一の色に着色しておくことで、交換用開口部２６３ｈをより目立たなくさせることができる。
【００９１】
［実施の形態４］
次に、図１７および図１８を参照して、実施の形態４における写真撮影遊戯機について説明する。本実施の形態においては、基本的構成は、上記実施の形態１における写真撮影遊戯機と同じであり、相違点は、側部照明装置の構成にある。よって、ここでは、本実施の形態における側部照明装置２６０Ｃの構成についてのみ説明する。図１７は、側部照明装置２６０Ｃの内部構造を示す縦断面図、図１８は、側部照明装置２６０Ｃの照明ユニットの取り換え状態を示す縦断面図である。
【００９２】
図１７を参照して、本実施の形態における側部照明装置２６０Ｃは、側面パネル２６１に照明用開口部２６１ａが設けられている。照明用開口部２６１ａには、照明ドーム２６２が設けられている。本実施の形態における照明ユニット２７０Ｃは、ストロボ２７３と、断面がＬ字状のユニットベース２７７とを含む。図示していないが、実施の形態１と同様に、ストロボ２７３には、電源ケーブルが接続されている。
【００９３】
本実施の形態においては、ユニットベース２７７は、照明ドーム２６２の下端に設けられた交換用開口部２６２ｈからの出し入れが可能に設けられており、ユニットベース２７７はビスＢ１を用いて、照明ドーム２６２の下端に着脱可能に固定されている。図示していないが、ストロボ２７３の発光面側に、実施の形態１の場合と同様に、反射板を設けてもよい。
【００９４】
図１８に示すように、本実施の形態では、照明ドーム２６２の下端に設けられた交換用開口部２６２ｈにおいて、照明ユニット２７０Ｃの出し入れを可能としている。
【００９５】
本実施の形態においては、側面パネル２６１に照明用開口部２６１ａが設けられ、この照明用開口部２６１ａとは異なる位置に設けられ、照明ユニット２７０Ｃを上下方向に移動させることにより、ストロボ２７３の交換を可能とする交換用開口部２６２ｈが、照明ドーム２６２の下端に設けられている。これにより、撮影ブース２側からのストロボ２７３の交換が可能となる。
【００９６】
さらに、照明ドーム２６２を取り外すことなく、ストロボ２７３の交換が可能であることから、側面パネル２６１の照明用開口部２６１ａに照明ドーム２６２を撮影ブース２側から着脱するための構造を設ける必要がなくなり、照明ドーム２６２の周りにビス等を配置する必要がない。また、照明ドーム２６２の下端面は、プレイヤの目に触れ難い場所である。その結果、撮影ブース２内の意匠を損なうこともない。
【００９７】
［実施の形態５］
次に、図１９および図２０を参照して、実施の形態５における写真撮影遊戯機について説明する。本実施の形態においては、基本的構成は、上記実施の形態１における写真撮影遊戯機と同じであり、相違点は、側部照明装置に代わり天井照明装置の構成にある。よって、ここでは、本実施の形態における天井照明装置２６０Ｄの構成についてのみ説明する。図１９は、天井照明装置２６０Ｄの内部構造を示す縦断面図、図２０は、天井照明装置２６０Ｄの照明ユニットの取り換え状態を示す縦断面図である。
【００９８】
図１９を参照して、本実施の形態における天井照明装置２６０Ｄは、撮影ブース２を規定する壁部材を構成する天井パネル２９０と側面パネル２６１とに跨るように、照明用開口部２６１ａが設けられている。照明用開口部２６１ａには、照明ドーム２６２が設けられている。本実施の形態における照明ユニット２７０Ｄは、ストロボ２７３と、プレート状のユニットベース２７７とを含む。図示していないが、実施の形態１と同様に、ストロボ２７３には、電源ケーブルが接続されている。ユニットベース２７７は、側面パネル２６１に設けられた固定ベース２８２にビスＢ４等を用いて着脱可能に固定されている。
【００９９】
側面パネル２６１の照明用開口部２６１ａの下方位置には、実施の形態１の場合と同様の構成を有する、交換用開口部２６１ｈと、この交換用開口部２６１ｈを覆うように、蓋部材２６４がビスＢ１を用いて着脱可能に固定されている。図示していないが、ストロボ２７３の発光面側に、実施の形態１の場合と同様に、反射板を設けてもよい。
【０１００】
図２０に示すように、本実施の形態では、交換用開口部２６１ｈにおいて、照明ユニット２７０Ｄの出し入れを可能としている。
【０１０１】
本実施の形態においては、天井パネル２９０と側面パネル２６１とに跨るように照明用開口部２６１ａが設けられ、この照明用開口部２６１ａとは異なる位置に設けられ、照明ユニット２７０を移動させることにより（図２０に示す状態）、ストロボ２７３の交換を可能とする交換用開口部２６１ｈが、側面パネル２６１に設けられている。これにより、撮影ブース２側からのストロボ２７３の交換が可能となる。
【０１０２】
さらに、照明ドーム２６２を取り外すことなく、ストロボ２７３の交換が可能であることから、天井パネル２９０および側面パネル２６１の照明用開口部２６１ａに照明ドーム２６２を撮影ブース２側から着脱するための構造を設ける必要がなくなり、照明ドーム２６２の周りにビス等を配置する必要がない。その結果、撮影ブース２内の意匠を損なうこともない。
【０１０３】
さらに、側面パネル２６１側に設けられた交換用開口部２６１ｈは、蓋部材２６４により覆われることから、内部の構造が目立つようなことはない。好ましくは、側面パネル２６１、蓋部材２６４、およびビスＢ１を同一の色に着色しておくことで、交換用開口部２６１ｈをより目立たなくさせることができる。
【０１０４】
［実施の形態６］
次に、図２１および図２２を参照して、実施の形態６における写真撮影遊戯機について説明する。本実施の形態においては、基本的構成は、上記実施の形態１における写真撮影遊戯機と同じであり、相違点は、側部照明装置に代わり天井照明装置の構成にある。よって、ここでは、本実施の形態における天井照明装置２６０Ｅの構成についてのみ説明する。図２１は、天井照明装置２６０Ｅの内部構造を示す縦断面図、図２２は、天井照明装置２６０Ｅの照明ユニットの取り換え状態を示す縦断面図である。
【０１０５】
図２１を参照して、本実施の形態における天井照明装置２６０Ｅは、撮影ブース２を規定する壁部材を構成する天井パネル２９０に、照明用開口部２９１ａが設けられている。照明用開口部２９１ａには、照明ドーム２６２が設けられている。本実施の形態における照明ユニット２７０Ｅは、ストロボ２７３と、プレート状のユニットベース２７７とを含む。図示していないが、実施の形態１と同様に、ストロボ２７３には、電源ケーブルが接続されている。ユニットベース２７７は、天井パネル２９０に設けられた固定ベース２９２にビスＢ４等を用いて着脱可能に固定されている。
【０１０６】
天井パネル２９０の照明用開口部２９１ａと異なる位置には、実施の形態１の場合と同様の構成を有する、交換用開口部２９１ｈと、この交換用開口部２９１ｈを覆うように、蓋部材２９４がビスＢ１を用いて着脱可能に固定されている。図示していないが、ストロボ２７３の発光面側に、実施の形態１の場合と同様に、反射板を設けてもよい。
【０１０７】
図２２に示すように、本実施の形態では、交換用開口部２９１ｈにおいて、照明ユニット２７０Ｅの出し入れを可能としている。
【０１０８】
本実施の形態においては、天井パネル２９０に照明用開口部２９１ａが設けられ、この照明用開口部２９１ａとは異なる位置に設けられ、照明ユニット２７０を移動させることにより（図２０に示す状態）、ストロボ２７３の交換を可能とする交換用開口部２９１ｈが、天井パネル２９０に設けられている。これにより、撮影ブース２側からのストロボ２７３の交換が可能となる。
【０１０９】
さらに、照明ドーム２６２を取り外すことなく、ストロボ２７３の交換が可能であることから、天井パネル２９０の照明用開口部２９１ａに照明ドーム２６２を撮影ブース２側から着脱するための構造を設ける必要がなくなり、照明ドーム２６２の周りにビス等を配置する必要がない。その結果、撮影ブース２内の意匠を損なうこともない。
【０１１０】
さらに、側面パネル２６１側に設けられた交換用開口部２９１ｈは、蓋部材２９４により覆われることから、内部の構造が目立つようなことはない。好ましくは、天井パネル２９０、蓋部材２９４、およびビスＢ１を同一の色に着色しておくことで、交換用開口部２９１ｈをより目立たなくさせることができる。
【０１１１】
以上、本発明の各実施の形態における写真撮影遊戯機について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１１２】
１  写真撮影遊戯機、２  撮影ブース、２Ａ  出入口、３  編集ブース、４  事前接客ブース、５  事後接客ブース、１７  クロマキーキャプチャボード、２０  撮影装置、２０Ａ  正面筐体、２０Ｂ  背面筐体、３５  編集装置、４０  事前受付装置、４１  受付用ディスプレイ、４２  コイン投入口、４３，５３，３５３，４５０  スピーカ、４４  コイン制御部、５０  事後受付装置、５１  受付用ディスプレイ、５２  写真プリント排出装置、５４  プリント排出口、９７  非接触通信装置、１００  制御装置、１０１  コンピュータ装置、１０２  制御基板、１０３  ＣＰＵ、１０４  ＨＤＤ、１０５  メモリ、１０６  通信部、１１０  発光（ストロボ）制御部、１１３  サービスパネル、２００  撮影カメラ、２２０  ディスプレイ、２３１〜２３８  照明装置、２５０  背面スクリーン、２５１〜２５４  天井照明装置、２６０，２６０Ａ〜２６０Ｃ  側部照明装置、２６０Ａ〜２６０Ｅ  天井照明装置、２６１  側面パネル、２６１ａ，２９１ａ  照明用開口部、２６２  照明ドーム、２６２ｈ，２６３ｈ，２９１ｈ  交換用開口部、２６３  背面パネル、２６４  蓋部材、２６４ａ  ビス用孔（だるま孔）、２６５  ガイドレール、２７０，２７０Ａ〜２７０Ｅ  照明ユニット、２７１，２７５，２７７  ユニットベース、２７２  照明ベース、２７３  ストロボ、２７４  電源ケーブル、２７６，２７８，２８２，２９２  固定ベース、２７９  反射板、２９０  天井パネル、２９４  蓋部材、３００  調整装置、３５０  画像編集装置、３５１  編集用ディスプレイ、３５２  タッチペン、３６０  筐体、６５０  プリンタ、Ｂ１，Ｂ２，Ｂ４  ビス、ＦＲ１  合成画像、ＦＲ１１Ａ  写真画像（上半身撮影）、ＦＲ１１Ｂ  写真画像（全身撮影）、ＦＲ１３  編集画像。
【図１】
2015121831.tif 000003
【図２】
2015121831.tif 000004
【図３】
2015121831.tif 000005
【図４】
2015121831.tif 000006
【図５】
2015121831.tif 000007
【図６】
2015121831.tif 000008
【図７】
2015121831.tif 000009
【図８】
2015121831.tif 000010
【図９】
2015121831.tif 000011
【図１０】
2015121831.tif 000012
【図１１】
2015121831.tif 000013
【図１２】
2015121831.tif 000014
【図１３】
2015121831.tif 000015
【図１４】
2015121831.tif 000016
【図１５】
2015121831.tif 000017
【図１６】
2015121831.tif 000018
【図１７】
2015121831.tif 000019
【図１８】
2015121831.tif 000020
【図１９】
2015121831.tif 000021
【図２０】
2015121831.tif 000022
【図２１】
2015121831.tif 000023
【図２２】
2015121831.tif 000024